(57)【要約】【課題】  Ｃｅｌｌ−ＤＣＨとＣｅｌｌ−ＦＡＣＨとの間のＲＲＣ状態遷移の回数を削減可能な移動通信システムを提供する。【解決手段】  移動端末装置１は、ＣＰＵが記憶装置の使用履歴記憶領域に記憶された過去の動作履歴からＲＲＣ状態遷移のトリガとなる閾値やタイマ値を決定する。移動端末装置１は上記の閾値／タイマ値を設定した後、パケットトラヒック測定を行いながらイベントを検出した場合、待ちタイマを起動する。移動端末装置１はこの待ちタイマのタイムアウト時に、Ｍｅａｓｕｒｅｍｅｎｔ  Ｒｅｐｏｒｔメッセージを無線基地局２−１を介して無線ネットワーク制御装置３に送信する。無線ネットワーク制御装置３は移動端末装置１からＭｅａｓｕｒｅｍｅｎｔ  Ｒｅｐｏｒｔメッセージを受信すると、無線リソース使用状況等を確認した上でＲＲＣ状態遷移を行うチャネル切替処理を実行する。【選択図】      図１
2007214711.tif 000002
【特許請求の範囲】
【請求項１】
無線リソースを有効に利用するために移動端末装置と無線ネットワーク制御装置との間で種々のＲＲＣ（Ｒａｄｉｏ  Ｒｅｓｏｕｒｃｅ  Ｃｏｎｔｒｏｌ）状態が設定される移動通信システムであって、
前記移動端末装置は、過去の通信履歴に基づいた前記ＲＲＣ状態遷移のトリガとなるバッファ量閾値及びタイマ値を設定する手段を有することを特徴とする移動通信システム。
【請求項２】
前記移動端末装置は、前記過去の通信履歴を記憶する記憶手段と、前記バッファ量閾値及びタイマ値を前記記憶手段の通信履歴を基に決定する手段とを含むことを特徴とする請求項１記載の移動通信システム。
【請求項３】
前記過去の使用履歴は、少なくともＣｅｌｌ−ＦＡＣＨ（Ｆｏｒｗａｒｄ  Ａｃｃｅｓｓ  ＣＨａｎｎｅｌ）でのデータ転送量とＣｅｌｌ−ＤＣＨ（Ｄｅｄｉｃａｔｅｄ  ＣＨａｎｎｅｌ）でのデータ転送量との比率であることを特徴とする請求項１または請求項２記載の移動通信システム。
【請求項４】
ＨＬＲ（Ｈｏｍｅ  Ｌｏｃａｔｉｏｎ  Ｒｅｇｉｓｔｅｒ）に前記移動端末装置各々の前記バッファ量閾値及びタイマ値を保持し、前記移動端末装置に対する発呼時及び着呼時のいずれかに前記ＨＬＲから前記無線ネットワーク制御装置及び前記移動端末装置に前記バッファ量閾値及びタイマ値を通知することを特徴とする請求項１記載の移動通信システム。
【請求項５】
前記無線ネットワーク制御装置は、通信終了時に前記バッファ量閾値及びタイマ値を変更する必要があると判断した場合に新しいバッファ量閾値及びタイマ値を決定し、前記ＨＬＲに前記新しいバッファ量閾値及びタイマ値を通知することを特徴とする請求項４記載の移動通信システム。
【請求項６】
前記無線ネットワーク制御装置は、通信終了時に前記バッファ量閾値及びタイマ値を変更する必要があると判断した場合、少なくとも大量データのダウンロードが多いこと及びデータ長の短いパケットの送受が多いことのいずれかを示す動作パターンを前記ＨＬＲに通知し、
前記ＨＬＲは、当該動作パターンに基づいて新しいバッファ量閾値及びタイマ値を決定して保持することを特徴とする請求項４記載の移動通信システム。
【請求項７】
ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式を用いることを特徴とする請求項１から請求項６のいずれか記載の移動通信システム。
【請求項８】
無線リソースを有効に利用するために無線ネットワーク制御装置との間で種々のＲＲＣ（Ｒａｄｉｏ  Ｒｅｓｏｕｒｃｅ  Ｃｏｎｔｒｏｌ）状態が設定される移動端末装置であって、
過去の通信履歴に基づいた前記ＲＲＣ状態遷移のトリガとなるバッファ量閾値及びタイマ値を設定する手段を有することを特徴とする移動端末装置。
【請求項９】
前記過去の通信履歴を記憶する記憶手段と、前記バッファ量閾値及びタイマ値を前記記憶手段の通信履歴を基に決定する手段とを含むことを特徴とする請求項８記載の移動端末装置。
【請求項１０】
前記過去の使用履歴は、少なくともＣｅｌｌ−ＦＡＣＨ（Ｆｏｒｗａｒｄ  Ａｃｃｅｓｓ  ＣＨａｎｎｅｌ）でのデータ転送量とＣｅｌｌ−ＤＣＨ（Ｄｅｄｉｃａｔｅｄ  ＣＨａｎｎｅｌ）でのデータ転送量との比率であることを特徴とする請求項８または請求項９記載の移動端末装置。
【請求項１１】
ＨＬＲ（Ｈｏｍｅ  Ｌｏｃａｔｉｏｎ  Ｒｅｇｉｓｔｅｒ）に保持された前記バッファ量閾値及びタイマ値を、発呼時及び着呼時のいずれかに前記ＨＬＲから受信することを特徴とする請求項８記載の移動端末装置。
【請求項１２】
前記ＨＬＲから受信する前記バッファ量閾値及びタイマ値は、前記無線ネットワーク制御装置が通信終了時に前記バッファ量閾値及びタイマ値を変更する必要があると判断した場合に決定された新しいバッファ量閾値及びタイマ値であることを特徴とする請求項１１記載の移動端末装置。
【請求項１３】
前記ＨＬＲから受信する前記バッファ量閾値及びタイマ値は、前記無線ネットワーク制御装置が通信終了時に前記バッファ量閾値及びタイマ値を変更する必要があると判断した場合に前記無線ネットワーク制御装置から前記ＨＬＲに通知されかつ少なくとも大量データのダウンロードが多いこと及びデータ長の短いパケットの送受が多いことのいずれかを示す動作パターンに基づいて決定された新しいバッファ量閾値及びタイマ値であることを特徴とする請求項１１記載の移動端末装置。
【請求項１４】
ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式を用いることを特徴とする請求項８から請求項１３のいずれか記載の移動端末装置。
【請求項１５】
無線リソースを有効に利用するために移動端末装置ととの間で種々のＲＲＣ（Ｒａｄｉｏ  Ｒｅｓｏｕｒｃｅ  Ｃｏｎｔｒｏｌ）状態が設定される無線ネットワーク制御装置であって、
前記移動端末装置に設定されかつ前記移動端末装置の過去の通信履歴に基づいたバッファ量閾値及びタイマ値によるトリガに応答して前記ＲＲＣ状態の遷移を行うことを特徴とする無線ネットワーク制御装置。
【請求項１６】
前記バッファ量閾値及びタイマ値は、前記移動端末装置が前記過去の通信履歴を記憶する記憶手段の通信履歴を基に決定した値であることを特徴とする請求項１５記載の無線ネットワーク制御装置。
【請求項１７】
前記過去の使用履歴は、少なくともＣｅｌｌ−ＦＡＣＨ（Ｆｏｒｗａｒｄ  Ａｃｃｅｓｓ  ＣＨａｎｎｅｌ）でのデータ転送量とＣｅｌｌ−ＤＣＨ（Ｄｅｄｉｃａｔｅｄ  ＣＨａｎｎｅｌ）でのデータ転送量との比率であることを特徴とする請求項１５または請求項１６記載の無線ネットワーク制御装置。
【請求項１８】
ＨＬＲ（Ｈｏｍｅ  Ｌｏｃａｔｉｏｎ  Ｒｅｇｉｓｔｅｒ）に保持された前記バッファ量閾値及びタイマ値を発呼時及び着呼時のいずれかに受信した時に当該バッファ量閾値及びタイマ値を前記移動端末装置に通知することを特徴とする請求項１５記載の無線ネットワーク制御装置。
【請求項１９】
通信終了時に前記バッファ量閾値及びタイマ値を変更する必要があると判断した場合に新しいバッファ量閾値及びタイマ値を決定し、前記ＨＬＲに前記新しいバッファ量閾値及びタイマ値を通知することを特徴とする請求項１８記載の無線ネットワーク制御装置。
【請求項２０】
通信終了時に前記バッファ量閾値及びタイマ値を変更する必要があると判断した場合、少なくとも大量データのダウンロードが多いこと及びデータ長の短いパケットの送受が多いことのいずれかを示す動作パターンを前記ＨＬＲに通知し、前記ＨＬＲが当該動作パターンに基づいて新しいバッファ量閾値及びタイマ値を決定して保持することを特徴とする請求項１８記載の無線ネットワーク制御装置。
【請求項２１】
ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式を用いることを特徴とする請求項１５から請求項２０のいずれか記載の無線ネットワーク制御装置。
【請求項２２】
無線リソースを有効に利用するために移動端末装置と無線ネットワーク制御装置との間で種々のＲＲＣ（Ｒａｄｉｏ  Ｒｅｓｏｕｒｃｅ  Ｃｏｎｔｒｏｌ）状態が設定される移動通信システムに用いる状態遷移トリガ設定方法であって、
前記移動端末装置が、過去の通信履歴に基づいた前記ＲＲＣ状態遷移のトリガとなるバッファ量閾値及びタイマ値を設定する処理を実行することを特徴とする状態遷移トリガ設定方法。
【請求項２３】
前記移動端末装置が、前記過去の通信履歴を記憶する記憶手段の通信履歴を基に、前記ＲＲＣ状態遷移のトリガとなるバッファ量閾値及びタイマ値を決定することを特徴とする請求項２２記載の状態遷移トリガ設定方法。
【請求項２４】
前記過去の使用履歴は、少なくともＣｅｌｌ−ＦＡＣＨ（Ｆｏｒｗａｒｄ  Ａｃｃｅｓｓ  ＣＨａｎｎｅｌ）でのデータ転送量とＣｅｌｌ−ＤＣＨ（Ｄｅｄｉｃａｔｅｄ  ＣＨａｎｎｅｌ）でのデータ転送量との比率であることを特徴とする請求項２２または請求項２３記載の状態遷移トリガ設定方法。
【請求項２５】
ＨＬＲ（Ｈｏｍｅ  Ｌｏｃａｔｉｏｎ  Ｒｅｇｉｓｔｅｒ）に前記移動端末装置各々の前記ＲＲＣ状態遷移のトリガとなるバッファ量閾値及びタイマ値を保持し、前記移動端末装置に対する発呼時及び着呼時のいずれかに前記ＨＬＲから前記無線ネットワーク制御装置及び前記移動端末装置に前記バッファ量閾値及びタイマ値を通知することを特徴とする請求項２２記載の状態遷移トリガ設定方法。
【請求項２６】
前記無線ネットワーク制御装置が、通信終了時に前記バッファ量閾値及びタイマ値を変更する必要があると判断した場合に新しいバッファ量閾値及びタイマ値を決定し、前記ＨＬＲに前記新しいバッファ量閾値及びタイマ値を通知することを特徴とすることを特徴とする請求項２５記載の状態遷移トリガ設定方法。
【請求項２７】
前記無線ネットワーク制御装置が、通信終了時に前記バッファ量閾値及びタイマ値を変更する必要があると判断した場合、少なくとも大量データのダウンロードが多いこと及びデータ長の短いパケットの送受が多いことのいずれかを示す動作パターンを前記ＨＬＲに通知し、
前記ＨＬＲが、当該動作パターンに基づいて新しいバッファ量閾値及びタイマ値を決定して保持することを特徴とする請求項２５記載の状態遷移トリガ設定方法。
【請求項２８】
前記移動通信システムにおいて、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式を用いることを特徴とする請求項２２から請求項２７のいずれか記載の状態遷移トリガ設定方法。
【発明の詳細な説明】
【技術分野】
【０００１】
本発明は移動通信システム、移動端末装置、無線ネットワーク制御装置及びそれらに用いる状態遷移トリガ設定方法に関し、特に移動通信システムにおけるＲＲＣ（Ｒａｄｉｏ  Ｒｅｓｏｕｒｃｅ  Ｃｏｎｔｒｏｌ）状態遷移のトリガの設定方法に関する。
【背景技術】
【０００２】
ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システムでは、無線リソースを有効に利用するため、様々なＲＲＣ状態を設けているが、このＲＲＣ状態遷移のトリガとなる閾値やタイマ値が、ＵＥ（Ｕｓｅｒ  Ｅｑｕｉｐｍｅｎｔ：移動端末）の動作傾向を考慮して決めることができないため、必要以上にＲＲＣ状態遷移を行うことがある。
【０００３】
ＩＭＴ−２０００（ＷＣＤＭＡ）システムでは、無線リソースを有効に利用するため、図５に示すように、ＲＲＣ状態として、“Ｉｄｌｅ”、“Ｃｅｌｌ−ＦＡＣＨ（Ｆｏｒｗａｒｄ  Ａｃｃｅｓｓ  ＣＨａｎｎｅｌ）”、”Ｃｅｌｌ−ＤＣＨ（Ｄｅｄｉｃａｔｅｄ  ＣＨａｎｎｅｌ）”、”Ｃｅｌｌ−ＰＣＨ（Ｐａｇｉｎｇ  ＣＨａｎｎｅｌ）”、”ＵＲＡ−ＰＣＨ［ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  Ｒｅｇｉｓｔｒａｔｉｏｎ  Ａｒｅａ−Ｐａｇｉｎｇ  ＣＨａｎｎｅｌ）”を設けている（例えば、非特許文献１参照）。
【０００４】
さらに、ＩＭＴ−２０００（ＷＣＤＭＡ）システムでは、状態遷移のトリガとなる閾値やタイマ値を全端末共通に決めている。例えば、“ＷＣＤＭＡ  ｆｏｒ  ＵＭＴＳ（Ｓｅｃｏｎｄ  Ｅｄｉｔｉｏｎ），ＪＯＨＮ  ＷＩＬＥＹ  ＆  ＳＯＮＳ，ＬＴＤ”の１０．３．５  Ｓｅｌｅｃｔｉｏｎ  ｏｆ  Ｃｈａｎｎｅｌ  Ｔｙｐｅ（ｐ２６１〜）のＦｉｇ．１０．１０、Ｆｉｇ．１０．１１、及びその説明文にあるように、ＲＬＣ（Ｒａｄｉｏ  Ｌｉｎｋ  Ｃｏｎｔｒｏｌ）バッファ内のデータ量が閾値を越えるとＣｅｌｌ−ＦＡＣＨ状態からＣｅｌｌ−ＤＣＨ状態へ、またデータ無送信を検出するタイマがタイムアウトするとＣｅｌｌ−ＤＣＨ状態からＣｅｌｌ−ＦＡＣＨ状態へと遷移させている。
【０００５】
【非特許文献１】”Ｒａｄｉｏ  Ｒｅｓｏｕｒｃｅ  Ｃｏｎｔｒｏｌ（ＲＲＣ）  ｐｒｏｔｏｃｏｌ  ｓｐｅｃｉｆｉｃａｔｉｏｎ”（３ＧＰＰ  ＴＳ２５．３３１  （２００５−１２））
【発明の開示】
【発明が解決しようとする課題】
【０００６】
しかしながら、上記のＩＭＴ−２０００（ＷＣＤＭＡ）システムでは、図６に示すように、各端末毎に動作傾向が異なる。例えば、ある端末あるいはユーザ『Ａ』は大量のデータダウンロードを行う場合が多く、他の端末あるいはユーザ『Ｂ』はショートメッセージ送受やＷｅｂアクセスで少量データのやり取りを上り／下り双方向に行う場合が多い、ということがある。
【０００７】
このような場合には、全ての端末あるいはユーザに対し、ＲＲＣ状態遷移を同一閾値で動作させると、無駄な動作が増えてしまう。つまり、図７に示すように、ユーザ『Ａ』、ユーザ『Ｂ』ともに、Ｃｅｌｌ−ＤＣＨへの切替え、Ｃｅｌｌ−ＦＡＣＨへの切替えが必要以上に発生している。
【０００８】
ユーザ『Ａ』に対しては、Ｃｅｌｌ−ＦＡＣＨ状態に留まる時間が短くなり、Ｉｄｌｅ及びＣｅｌｌ−ＤＣＨ状態に留まる時間が長くなるような設定が好ましく、ユーザ『Ｂ』に対しては、上記とは逆に、Ｃｅｌｌ−ＦＡＣＨ状態に留まる時間が長くなり、Ｉｄｌｅ及びＣｅｌｌ−ＤＣＨ状態に留まる時間が短くなるような設定が好ましいが、現状では、図７に示すように、閾値／タイマ値は（１）報知情報としてセル内に報知されるか、（２）呼設定時にＲＮＣからＵＥ（移動端末）に対してＭｅａｓｕｒｅｍｅｎｔ  Ｃｏｎｔｒｏｌメッセージで設定するか、のいずれかである。
【０００９】
上記の（１）の場合には、ＵＥ（移動端末）毎に異なる値を設定することができず、（２）の場合も、現状ではＲＮＣがＵＥ（移動端末）の使用履歴を知る手段がなく、各端末毎に適切な閾値／タイマ値を設定することができない。
【００１０】
そこで、本発明の目的は上記の問題点を解消し、Ｃｅｌｌ−ＤＣＨとＣｅｌｌ−ＦＡＣＨとの間のＲＲＣ状態遷移の回数を削減することができる移動通信システム、移動端末装置、無線ネットワーク制御装置及びそれらに用いる状態遷移トリガ設定方法を提供することにある。
【課題を解決するための手段】
【００１１】
本発明による移動通信システムは、無線リソースを有効に利用するために移動端末装置と無線ネットワーク制御装置との間で種々のＲＲＣ（Ｒａｄｉｏ  Ｒｅｓｏｕｒｃｅ  Ｃｏｎｔｒｏｌ）状態が設定される移動通信システムであって、
前記移動端末装置は、過去の通信履歴に基づいた前記ＲＲＣ状態遷移のトリガとなるバッファ量閾値及びタイマ値を設定する手段を備えている。
【００１２】
本発明による移動端末装置は、無線リソースを有効に利用するために無線ネットワーク制御装置との間で種々のＲＲＣ（Ｒａｄｉｏ  Ｒｅｓｏｕｒｃｅ  Ｃｏｎｔｒｏｌ）状態が設定される移動端末装置であって、
過去の通信履歴に基づいた前記ＲＲＣ状態遷移のトリガとなるバッファ量閾値及びタイマ値を設定する手段を備えている。
【００１３】
本発明による無線ネットワーク制御装置は、無線リソースを有効に利用するために移動端末装置ととの間で種々のＲＲＣ（Ｒａｄｉｏ  Ｒｅｓｏｕｒｃｅ  Ｃｏｎｔｒｏｌ）状態が設定される無線ネットワーク制御装置であって、
前記移動端末装置に設定されかつ前記移動端末装置の過去の通信履歴に基づいたバッファ量閾値及びタイマ値によるトリガに応答して前記ＲＲＣ状態の遷移を行っている。
【００１４】
本発明による状態遷移トリガ設定方法は、無線リソースを有効に利用するために移動端末装置と無線ネットワーク制御装置との間で種々のＲＲＣ（Ｒａｄｉｏ  Ｒｅｓｏｕｒｃｅ  Ｃｏｎｔｒｏｌ）状態が設定される移動通信システムに用いる状態遷移トリガ設定方法であって、
前記移動端末装置が、過去の通信履歴に基づいた前記ＲＲＣ状態遷移のトリガとなるバッファ量閾値及びタイマ値を設定する処理を実行している。
【００１５】
すなわち、本発明の移動通信システムは、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システムにおいて、ＲＲＣ（Ｒａｄｉｏ  Ｒｅｓｏｕｒｃｅ  Ｃｏｎｔｒｏｌ）状態遷移のトリガを決めるバッファ量閾値やタイマ値を、それまでの各端末の通信履歴を基に決定する手段を設けることで、サービス品質を維持しながら網側の処理量を削減可能とすることを特徴とする。
【００１６】
より具体的に説明すると、本発明の移動通信システムでは、各ＵＥ（Ｕｓｅｒ  Ｅｑｕｉｐｍｅｎｔ：移動端末）が過去の使用履歴［例えば、Ｃｅｌｌ−ＦＡＣＨ（Ｆｏｒｗａｒｄ  Ａｃｃｅｓｓ  ＣＨａｎｎｅｌ）でのデータ転送量とＣｅｌｌ−ＤＣＨ（Ｄｅｄｉｃａｔｅｄ  ＣＨａｎｎｅｌ）でのデータ転送量との比率等］に応じて、状態遷移のトリガとなる閾値／タイマ値を設定する手段を設けることによって、ＲＲＣ状態を切替えるための網側の処理を減らすことが可能となる。
【００１７】
また、本発明の移動通信システムでは、ＨＬＲ（Ｈｏｍｅ  Ｌｏｃａｔｉｏｎ  Ｒｅｇｉｓｔｅｒ）が各端末毎の閾値／タイマ値を保持し、発呼時または着呼時にそれらの値をＲＮＣ（Ｒａｄｉｏ  Ｎｅｔｗｏｒｋ  Ｃｏｎｔｒｏｌｌｅｒ）に通知し、それらの値をＲＮＣからＵＥに通知する方法も可能である。この場合、通信終了時にＲＮＣが閾値／タイマ値を変更する必要があると判断した場合、ＲＮＣはその判断結果に基づいて適切な新しい閾値／タイマ値を決定し、その新しい閾値／タイマ値をＨＬＲに通知する。
【００１８】
あるいは、ＲＮＣからＨＬＲに通知する情報としては、具体的な閾値／タイマ値ではなく、動作パターン［大量データのダウンロードが多い、あるいはＳＭＳ（Ｓｈｏｒｔ  Ｍｅｓｓａｇｅ  Ｓｅｒｖｉｃｅ）・メールのようなデータ長の短いパケットの送受が多い等］であってもよい。その場合、ＨＬＲはＲＮＣから通知された情報に基づいて新しい閾値／タイマ値を決定して保持する。
【００１９】
以上のように、本発明の移動通信システムでは、ＵＥ（移動端末）内に、過去の動作履歴から、ＲＲＣ状態遷移のトリガとなる閾値やタイマ値を決定する手段を設けることによって、Ｃｅｌｌ−ＤＣＨとＣｅｌｌ−ＦＡＣＨとの間のＲＲＣ状態遷移の回数を削減することが可能となる。
【発明の効果】
【００２０】
本発明は、上記のような構成及び動作とすることで、Ｃｅｌｌ−ＤＣＨとＣｅｌｌ−ＦＡＣＨとの間のＲＲＣ状態遷移の回数を削減することができるという効果が得られる。
【発明を実施するための最良の形態】
【００２１】
次に、本発明の実施例について図面を参照して説明する。図１は本発明の一実施例による網構成を示すブロック図である。図１において、本発明の一実施例による網構成は、移動端末装置（ＵＥ：Ｕｓｅｒ  Ｅｑｕｉｐｍｅｎｔ）１と、無線基地局（Ｎｏｄｅ−Ｂ）２−１，２−２と、無線ネットワーク制御装置（ＲＮＣ：Ｒａｄｉｏ  Ｎｅｔｗｏｒｋ  Ｃｏｎｔｒｏｌｌｅｒ）３と、移動通信交換局（ＭＳＣ：Ｍｏｂｉｌｅ  Ｓｗｉｔｃｈｉｎｇ  Ｃｅｎｔｅｒ）４と、加入者ノード［ＳＧＳＮ：Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ］５と、ＨＬＲ（Ｈｏｍｅ  Ｌｏｃａｔｉｏｎ  Ｒｅｇｉｓｔｅｒ）６とからなっている。
【００２２】
図２は図１の移動端末装置の構成を示すブロック図である。図２において、移動端末装置１はＣＰＵ（中央処理装置）１１と、ＣＰＵ１１が実行する制御プログラム１２ａを格納するメインメモリ１２と、ＣＰＵ１１が制御プログラム１２ａを実行する際に作業領域として使用可能な記憶装置１３と、無線基地局２−１，２−２との間の無線通信を制御する無線通信制御部１４とから構成されている。
【００２３】
移動端末装置１においては、ＣＰＵ１１、メインメモリ１２、記憶装置１３、無線通信制御部１４がそれぞれ内部バス１１０に接続されている。また、記憶装置１３は移動端末装置１における過去の使用履歴［例えば、Ｃｅｌｌ−ＦＡＣＨ（Ｆｏｒｗａｒｄ  Ａｃｃｅｓｓ  ＣＨａｎｎｅｌ）でのデータ転送量とＣｅｌｌ−ＤＣＨ（Ｄｅｄｉｃａｔｅｄ  ＣＨａｎｎｅｌ）でのデータ転送量との比率等］を記憶する使用履歴記憶領域１３１と、ＲＲＣ（Ｒａｄｉｏ  Ｒｅｓｏｕｒｃｅ  Ｃｏｎｔｒｏｌ）状態遷移のトリガとなる閾値やタイマ値を記憶する状態遷移トリガ設定値記憶領域１３２とを備えている。
【００２４】
図３は本発明の一実施例によるチャネル切替えまでの信号シーケンスを示す図である。これら図１〜図３を参照して本発明の一実施例によるチャネル切替えまでの信号シーケンスについて説明する。
【００２５】
移動端末装置１では、ＣＰＵ１１が記憶装置１３の使用履歴記憶領域１３１に記憶された過去の動作履歴からＲＲＣ状態遷移のトリガとなる閾値やタイマ値を決定している（図３のａ１参照）。
【００２６】
移動端末装置１は上記の閾値／タイマ値を設定した後、上述した従来の移動端末装置の動作と同様に動作し、パケットトラヒック測定を行いながらイベント（閾値超過、あるいはトラヒック未検出）を検出した場合（図３のａ２，ａ３参照）、待ちタイマ（図示せず）を起動する（図３のａ４参照）。
【００２７】
移動端末装置１はこの待ちタイマのタイムアウト時に、Ｍｅａｓｕｒｅｍｅｎｔ  Ｒｅｐｏｒｔメッセージを無線基地局２−１を介して無線ネットワーク制御装置３に送信する（図３のａ５，ａ６参照）。
【００２８】
無線ネットワーク制御装置３は移動端末装置１からＭｅａｓｕｒｅｍｅｎｔ  Ｒｅｐｏｒｔメッセージを受信すると、上述した従来の動作と同様に、無線リソース使用状況等を確認した上でＲＲＣ状態遷移を行うチャネル切替処理を実行する（図３のａ７参照）。
【００２９】
図４（ａ）は本発明の一実施例におけるユーザ『Ａ』の場合のトラヒックパターンとＲＲＣ状態遷移とを示す図であり、図４（ｂ）は本発明の一実施例におけるユーザ『Ｂ』の場合のトラヒックパターンとＲＲＣ状態遷移とを示す図である。この図４を参照して本発明の一実施例におけるＲＲＣ状態遷移の動作について説明する。
【００３０】
閾値／タイマ値をユーザ『Ａ』、ユーザ『Ｂ』がそれぞれ過去の動作履歴から適切と判断した値に設定することで、Ｃｅｌｌ−ＤＣＨへの切替え、Ｃｅｌｌ−ＦＡＣＨへの切替えの回数をそれぞれ従来よりも削減することができる。
【００３１】
すなわち、ユーザ『Ａ』は大量のデータダウンロードを行うことが多いため、閾値を高目に設定し、タイマ値を変更しないか、あるいは短く設定する。ユーザ『Ｂ』はショートメッセージの送受やＷｅｂアクセスで少量のデータのやりとりを行うことが多いので、閾値を変更しないか、低めに設定し、タイマ値を長めに設定することで、Ｃｅｌｌ−ＤＣＨへの遷移を必要以上に行わないようにする。
【００３２】
このように、本実施例では、移動端末装置１において、過去の動作履歴から、ＲＲＣ状態遷移のトリガとなる閾値やタイマ値を決定することによって、Ｃｅｌｌ−ＤＣＨとＣｅｌｌ−ＦＡＣＨとの間のＲＲＣ状態遷移の回数を削減することができる。
【００３３】
尚、本発明では、上記の実施例において、移動端末装置１に閾値やタイマ値を設定しているが、ＨＬＲ６が各移動端末装置１毎の閾値／タイマ値を保持し、発呼時または着呼時にそれらの値を無線ネットワーク制御装置３に通知し、無線ネットワーク制御装置３から移動端末装置１にそれらの値を通知する方法も可能である。この場合、通信終了時に無線ネットワーク制御装置３が閾値／タイマ値を変更する必要があると判断した場合、無線ネットワーク制御装置３はその判断結果に基づいて適切な新しい閾値／タイマ値を決定し、その新しい閾値／タイマ値をＨＬＲ６に通知する。
【００３４】
あるいは、無線ネットワーク制御装置３からＨＬＲ６に通知する情報としては、具体的な閾値／タイマ値ではなく、動作パターン［大量データのダウンロードが多い、あるいはＳＭＳ（Ｓｈｏｒｔ  Ｍｅｓｓａｇｅ  Ｓｅｒｖｉｃｅ）・メールのようなデータ長の短いパケットの送受が多い等］であってもよい。その場合、ＨＬＲ６は無線ネットワーク制御装置３から通知された情報に基づいて新しい閾値／タイマ値を決定して保持する。
【図面の簡単な説明】
【００３５】
【図１】本発明の一実施例による網構成を示すブロック図である。
【図２】図１の移動端末装置の構成を示すブロック図である。
【図３】本発明の一実施例によるチャネル切替えまでの信号シーケンスを示す図である。
【図４】（ａ）は本発明の一実施例におけるユーザ『Ａ』の場合のトラヒックパターンとＲＲＣ状態遷移とを示す図、（ｂ）は本発明の一実施例におけるユーザ『Ｂ』の場合のトラヒックパターンとＲＲＣ状態遷移とを示す図である。
【図５】ＲＲＣ状態遷移を示す図である。
【図６】チャネル切替えまでの信号シーケンスを示す図である。
【図７】（ａ）はユーザ『Ａ』の場合のトラヒックパターンとＲＲＣ状態遷移とを示す図、（ｂ）はユーザ『Ｂ』の場合のトラヒックパターンとＲＲＣ状態遷移とを示す図である。
【符号の説明】
【００３６】
１  移動端末装置
２−１，２−２  無線基地局
３  無線ネットワーク制御装置
４  移動通信交換局
５  加入者ノード
６  ＨＬＲ
１１  ＣＰＵ
１２  メインメモリ
１３  記憶装置
１４  無線通信制御部
１１０  内部バス
１３１  使用履歴記憶領域
１３２  状態遷移トリガ設定値記憶領域
【図１】
2007214711.tif 000003
【図２】
2007214711.tif 000004
【図３】
2007214711.tif 000005
【図４】
2007214711.tif 000006
【図５】
2007214711.tif 000007
【図６】
2007214711.tif 000008
【図７】
2007214711.tif 000009